(57)【要約】【課題】電流センサのコネクタを電力演算装置の所望の接続口と異なる接続口に誤って接続するのを防止することのできる電力計測ユニットを提供する。【解決手段】互いに離れた位置に配設された複数の負荷それぞれの近傍に設けられて負荷を流れる電流を検出する複数の電流センサ１と、電流センサ１で検出された電流に基づいて各負荷における瞬時電力又は積算電力量を演算する電力演算装置２と、各電流センサ１と電力演算装置２との間をそれぞれ接続して信号の送受信を行う伝送線３と、伝送線３の電力演算装置２側の一端部に設けられて電力演算装置２に設けられた複数の接続口２０ａの何れかに電気的に接続されるコネクタ３０とから成り、電流センサ１の器体１０の一面に、コネクタ３０に設けられた押釦３０ａの押操作に応じて発光する発光ダイオードから成る発光部１０ａを設けた。【選択図】図１
2011033462.tif 000002
【特許請求の範囲】
【請求項１】
複数の負荷それぞれの近傍に設けられて負荷を流れる電流を検出する電流センサと、電流センサで検出された電流に基づいて各負荷における瞬時電力又は積算電力量を演算する電力演算装置と、各電流センサと電力演算装置との間をそれぞれ接続して信号の送受信を行う伝送線と、伝送線の電力演算装置側の一端部に設けられて電力演算装置に設けられた複数の接続口の何れかに電気的に接続されるコネクタとを備え、電流センサ及びコネクタには、それぞれ互いの対応関係を目視で確認することのできる紐付け手段が設けられたことを特徴とする電力計測ユニット。
【発明の詳細な説明】
【技術分野】
【０００１】
本発明は、電流センサで検出した負荷を流れる電流に基づいて電力を計測する電力計測ユニットに関する。
【背景技術】
【０００２】
従来から、電力供給事業者から一般家庭等の電力需要家への電力の供給量を計測し、表示するように構成されている電力量計が提供されており、例えば特許文献１に開示されている。また、例えば一般家庭や工場、事業所等において用いられるものとして、互いに離れた位置に配設された複数の負荷それぞれの近傍に設けられる複数の電流センサと、各電流センサと伝送線を介して接続されるとともに各電流センサで検出された負荷を流れる電流、及び電圧センサで検出された負荷に印加される電圧に基づいて各負荷の瞬時電力又は積算電力量を演算する電力演算装置とを備えた電力計測ユニットが提供されている。
【先行技術文献】
【特許文献】
【０００３】
【特許文献１】特開平７−１６７８９４号公報
【発明の概要】
【発明が解決しようとする課題】
【０００４】
ところで、上述の電力計測ユニットでは、各電流センサから引き回される伝送線の端部に設けられたコネクタを電力演算装置に設けられた接続口に接続することで、各電流センサと電力演算装置とを電気的に接続している。また、電力演算装置では、接続口毎に得られた電流情報、及び電流情報に基づいて演算された瞬時電力又は積算電力量を記憶している。したがって、電力演算装置の接続口毎にどの電流センサのコネクタが接続されているかを把握する必要があった。
【０００５】
しかしながら、電流センサと電力演算装置とが互いに離れた位置に配設されている場合や、或いは各電流センサから引き回される伝送線を束ねて電力演算装置に接続する場合では、電流センサとコネクタとの対応関係が判り難く、電力演算装置において本来接続したい接続口と異なる接続口にコネクタを誤って接続する虞があった。
【０００６】
本発明は、上記の点に鑑みて為されたもので、電流センサのコネクタを電力演算装置の所望の接続口と異なる接続口に誤って接続するのを防止することのできる電力計測ユニットを提供することを目的とする。
【課題を解決するための手段】
【０００７】
請求項１の発明は、上記目的を達成するために、複数の負荷それぞれの近傍に設けられて負荷を流れる電流を検出する電流センサと、電流センサで検出された電流に基づいて各負荷における瞬時電力又は積算電力量を演算する電力演算装置と、各電流センサと電力演算装置との間をそれぞれ接続して信号の送受信を行う伝送線と、伝送線の電力演算装置側の一端部に設けられて電力演算装置に設けられた複数の接続口の何れかに電気的に接続されるコネクタとを備え、電流センサ及びコネクタには、それぞれ互いの対応関係を目視で確認することのできる紐付け手段が設けられたことを特徴とする。
【発明の効果】
【０００８】
本発明によれば、電流センサと電力演算装置が互いに離れた位置に配設する場合や、或いは各電流センサから引き回される伝送線を束ねて電力演算装置に接続する場合でも、コネクタがどの電流センサから引き回されたものであるかを容易に確認することができる。したがって、電流センサのコネクタを電力演算装置の所望の接続口と異なる接続口に誤って接続するのを防止することができる。
【図面の簡単な説明】
【０００９】
【図１】本発明に係る電力計測ユニットの実施形態１を示す概略図で、（ａ）は電流センサに押釦を設けた場合を示す図で、（ｂ）は第２のコネクタに押釦を設けた場合を示す図である。
【図２】本発明に係る電力計測ユニットの実施形態２を示す概略図で、（ａ）は電流センサを示す図で、（ｂ）は電力演算装置を含めた構成を示す図である。
【図３】本発明に係る電力計測ユニットの実施形態３を示す概略図である。
【発明を実施するための形態】
【００１０】
（実施形態１）
以下、本発明に係る電力計測ユニットの実施形態１について図面を用いて説明する。本実施形態は、図１（ａ），（ｂ）に示すように、互いに離れた位置に配設された複数の負荷（図示せず）それぞれの近傍に設けられて負荷を流れる電流を検出する複数の電流センサ１と、各電流センサ１と信号の送受信を行う伝送線３を介して接続され、各電流センサ１で検出された電流に基づいて各負荷における瞬時電力又は積算電力量を演算する電力演算装置２（図２（ｂ）参照）とから構成される。尚、図示は省略するが、各負荷に印加される電圧を検出する電圧センサが電力演算装置２に接続されている。電圧センサは、計器用変圧器から成る。
【００１１】
電流センサ１は、図１（ａ）に示すように、１つの閉磁路に２次巻線を巻回し、負荷が接続される被測定電路を閉磁路に貫通させ、被測定電路に流れる電流による磁束変化を電圧として２次巻線に出力する所謂カレントトランスから成る。２次巻線に出力された電圧信号は、負荷を流れる電流情報を含む信号として伝送線３を介して電力演算装置２に送信される。また、電流センサ１の器体１０の一面には、後述するコネクタ３０の押釦３０ａの押操作に応じて発光する発光ダイオードから成る発光部１０ａが露設されている。
【００１２】
電力演算装置２の器体２０の一面には、図２（ｂ）に示すように、各電流センサ１から引き回される伝送線３の一端部に設けられたコネクタ３０が着脱自在に電気的に接続される複数（図示では３つ）の接続口２０ａが設けられている。また、電力演算装置２は、図示しないが電圧センサとも伝送線を介して接続されている。電力演算装置２は、電圧センサで検出された各負荷に印加される電圧と、各電流センサ１で検出された各負荷を流れる電流とに基づいて各負荷における瞬時電力又は積算電力量を演算する。演算した瞬時電力又は積算電力量は、図示しない記憶部に接続口２０ａ毎に記憶する。尚、上述の電流センサ１、電圧センサ、及び電力演算装置２による瞬時電力及び積算電力量の計測原理は従来周知であるので、ここでは詳細な説明を省略する。
【００１３】
コネクタ３０の一面には、利用者が押操作可能な押釦３０ａが露設されており、当該押釦３０ａを押操作することで伝送線３を介して発光部１０ａと電力演算装置２に設けられた内部電源（図示せず）との間の電路を開閉するようになっている。即ち、押釦３０ａを押操作することで、当該コネクタ３０と対応する電流センサ１に設けられた発光部１０ａが発光するようになっている。このように、本実施形態では、発光部１０ａと押釦３０ａとで電流センサ１及びコネクタ３０の互いの対応関係を目視で確認することのできる紐付け手段を構成している。
【００１４】
上述のように、コネクタ３０に設けられた押釦３０ａを押操作することで対応する電流センサ１の器体１０に露設された発光部１０ａが発光するので、電流センサ１と電力演算装置２が互いに離れた位置に配設する場合や、或いは各電流センサ１から引き回される伝送線３を束ねて電力演算装置２に接続する場合でも、コネクタ３０がどの電流センサ１から引き回されたものであるかを容易に確認することができる。したがって、電流センサ１のコネクタ３０を電力演算装置２の所望の接続口２０ａと異なる接続口２０ａに誤って接続するのを防止することができる。
【００１５】
尚、上記実施形態では、コネクタ３０に押釦２０ａを、電流センサ１の器体１０に発光部１０ａを設けているが、図１（ｂ）に示すように、電流センサ１の器体１０に押釦１０ｂを、コネクタ３０に発光部３０ｂを設けるように構成してもよい。この場合でも、押釦３０ｂを押操作することで上述と同様の効果を奏することができる。
【００１６】
（実施形態２）
以下、本発明に係る電力計測ユニットの実施形態２について図面を用いて説明する。但し、本実施形態の基本的な構成は実施形態１と共通であるので、共通する部位には同一の番号を付して説明を省略する。本実施形態は、図２（ａ）に示すように、電流センサ１の器体１０の一面に、各々０から９までの数字を表示する２つのカウンタ１０ｃと、各カウンタ１０ｃの上側に設けられて押操作することで各カウンタ１０ｃに表示されている数字を変更する２つの押釦１０ｄとが設けられている。また、コネクタ３０の一面にも、電流センサ１と同様に２つのカウンタ３０ｃ及び２つの押釦３０ｄが設けられている。
【００１７】
本実施形態では、各電流センサ１を各負荷の近傍に設置する際に、押釦１０ｄ，３０ｄを押操作することで予め電流センサ１のカウンタ１０ｃに表示される数値と、コネクタ３０のカウンタ３０ｃに表示される数値とが一致するように調整することができる（図２（ｂ）参照）。即ち、本実施形態では、カウンタ１０ｃ，３０ｃ及び押釦１０ｄ，３０ｄで電流センサ１及びコネクタ３０の互いの対応関係を目視で確認することのできる紐付け手段を構成している。
【００１８】
上述のように、電流センサ１に設けられたカウンタ１０ｃに表示される数値とコネクタ３０に設けられたカウンタ３０ｃに表示される数値とを照らし合わせることで、電流センサ１と電力演算装置２が互いに離れた位置に配設する場合や、或いは各電流センサ１から引き回される伝送線３を束ねて電力演算装置２に接続する場合でも、コネクタ３０がどの電流センサ１から引き回されたものであるかを容易に確認することができる。したがって、電流センサ１のコネクタ３０を電力演算装置２の所望の接続口２０ａと異なる接続口２０ａに誤って接続するのを防止することができる。
【００１９】
（実施形態３）
以下、本発明に係る電力計測ユニットの実施形態３について図面を用いて説明する。但し、本実施形態の基本的な構成は実施形態１と共通であるので、共通する部位には同一の番号を付して説明を省略する。本実施形態は、図３に示すように、電流センサ１の器体１０の一面に自身の製造番号等が記載されたラベル（図示せず）が貼付される表示部１０ｅが設けられている。また、コネクタ３０の一面にも、電流センサ１と同様に表示部３０ｅが設けられている。このように、本実施形態では、表示部１０ｅ，３０ｅで電流センサ１及びコネクタ３０の互いの対応関係を目視で確認することのできる紐付け手段を構成している。尚、ラベルには製造番号以外を記載してもよく、他の電流センサ１及びコネクタ３０と区別することができる記載であればよい。
【００２０】
上述のように、電流センサ１に設けられた表示部１０ｅの表示とコネクタ３０に設けられた表示部３０ｅの表示とを照らし合わせることで、電流センサ１と電力演算装置２が互いに離れた位置に配設する場合や、或いは各電流センサ１から引き回される伝送線３を束ねて電力演算装置２に接続する場合でも、コネクタ３０がどの電流センサ１から引き回されたものであるかを容易に確認することができる。したがって、電流センサ１のコネクタ３０を電力演算装置２の所望の接続口２０ａと異なる接続口２０ａに誤って接続するのを防止することができる。
【符号の説明】
【００２１】
１  電流センサ
１０ａ  発光部
３  伝送線
３０  コネクタ
３０ａ  押釦
【図１】
2011033462.tif 000003
【図２】
2011033462.tif 000004
【図３】
2011033462.tif 000005